(57)【要約】【課題】携帯電子機器の停止判断を行う所定基準値を極力低い電圧に抑えて携帯電子機器の使用時間を長くし、更に、携帯電子機器の異常停止を回避して正常に停止させる。【解決手段】負荷デバイスと、該負荷デバイスの電源となる電池の出力電圧を測定する測定手段と、該測定手段が検出した前記電池の出力電圧を基準値と比較し（ステップＳ３）該出力電圧が該基準値より下回ったとき前記負荷デバイスの駆動を所定の停止シーケンス（ステップＳ５）に従って自動停止させる制御手段とを備える携帯電子機器であって、前記出力電圧が前記基準値より下回ることで前記自動停止させた回数を記憶し（ステップＳ６）、記憶された前記回数に応じた値に前記基準値を変更する（ステップＳ７）。【選択図】図２
2010200532.tif 000002
【特許請求の範囲】
【請求項１】
負荷デバイスと、該負荷デバイスの電源となる電池の出力電圧を測定する測定手段と、該測定手段が検出した前記電池の出力電圧を基準値と比較し該出力電圧が該基準値より下回ったとき前記負荷デバイスの駆動を所定の停止シーケンスに従って自動停止させる制御手段と、前記出力電圧が前記基準値より下回ることで前記自動停止させた回数を記憶する記憶手段と、該記憶手段に記憶されている前記回数に応じた値に前記基準値を変更する基準値変更手段とを備える携帯電子機器。
【請求項２】
請求項１記載の携帯電子機器であって、前記測定手段が測定した前記出力電圧が所定値以上になったとき前記記憶手段の記憶内容がリセットされる携帯電子機器。
【請求項３】
請求項１または請求項２に記載の携帯電子機器であって、前記回数が多くなるほど前記基準値を高く変更する携帯電子機器。
【請求項４】
請求項１乃至請求項３のいずれかに記載の携帯電子機器であって、前記出力電圧と比較され前記負荷デバイスへの電力供給が許可される起動許可基準値ＬＨが、前記記憶手段に記憶されている前記回数に応じた値に変更される携帯電子機器。
【請求項５】
請求項１乃至請求項４のいずれかに記載の携帯電子機器であって、前記出力電圧と比較され前記負荷デバイスへの電力供給を許可する起動許可基準値ＬＨと、前記自動停止が判定される前記基準値ＨＬとが異なる電圧値でありＬＨ＞ＨＬである携帯電子機器。
【請求項６】
請求項１乃至請求項５のいずれかに記載の携帯電子機器であって、前記所定の停止シーケンスが、前記出力電圧が前記基準値より高い状態で前記負荷デバイスを停止させる通常の停止シーケンスと異なるシーケンスである携帯電子機器。
【請求項７】
請求項６に記載の携帯電子機器であって、前記所定の停止シーケンスが前記通常の停止シーケンスより低消費電力で停止させるシーケンスである携帯電子機器。
【請求項８】
請求項１乃至請求項７のいずれかに記載の携帯電子機器であって、前記記憶手段に前記回数が記憶されていないときに前記負荷デバイスを起動させる起動シーケンスと、前記記憶手段に前記回数が記憶されているときに前記負荷デバイスを起動させる起動シーケンスとが異なるシーケンスである携帯電子機器。
【請求項９】
請求項８に記載の携帯電子機器であって、前記記憶手段に前記回数が記憶されているときの前記起動シーケンスは、前記負荷デバイスのうち機械的可動部の形状変化を最後に行うシーケンスである携帯電子機器。
【請求項１０】
負荷デバイスと、該負荷デバイスの電源となる電池の出力電圧を測定する測定手段と、該測定手段が検出した前記電池の出力電圧を起動許可基準値と比較し該出力電圧が該起動許可基準値以上になったとき前記負荷デバイスの起動を所定の起動シーケンスに従って行う制御手段と、前記出力電圧が停止判定基準値より下回ることで前記負荷デバイスを自動停止させた回数を記憶する記憶手段と、該記憶手段に記憶されている前記回数に応じた値に前記起動許可基準値を変更する基準値変更手段とを備える携帯電子機器。
【請求項１１】
請求項１０に記載の携帯電子機器であって、前記記憶手段に前記回数が記憶されていないときに前記負荷デバイスを起動させる起動シーケンスと、前記記憶手段に前記回数が記憶されているときに前記負荷デバイスを起動させる起動シーケンスとが異なるシーケンスである携帯電子機器。
【請求項１２】
請求項１１に記載の携帯電子機器であって、前記記憶手段に前記回数が記憶されているときの前記起動シーケンスは、前記負荷デバイスのうち機械的可動部の形状変化を最後に行うシーケンスである携帯電子機器。
【請求項１３】
負荷デバイスと、該負荷デバイスの電源となる電池の出力電圧を測定する測定手段と、該測定手段が検出した前記電池の出力電圧を基準値と比較し該出力電圧が該基準値より下回ったとき前記負荷デバイスの駆動を所定の停止シーケンスに従って自動停止させる制御手段とを備える携帯電子機器の電源システム制御方法であって、前記出力電圧が前記基準値より下回ることで前記自動停止させた回数を記憶し、前記基準値を前記回数に応じた値に変更する携帯電子機器の電源システム制御方法。
【請求項１４】
請求項１３記載の携帯電子機器の電源システム制御方法であって、前記測定手段が測定した前記出力電圧が所定値以上になったとき前記記憶された前記回数の値がリセットされる携帯電子機器の電源システム制御方法。
【請求項１５】
請求項１３または請求項１４に記載の携帯電子機器の電源システム制御方法であって、前記回数が多くなるほど前記基準値を高く変更する携帯電子機器の電源システム制御方法。
【請求項１６】
請求項１３乃至請求項１５のいずれかに記載の携帯電子機器の電源システム制御方法であって、前記出力電圧と比較され前記負荷デバイスへの電力供給が許可される起動許可基準値ＬＨが、前記記憶されている前記回数に応じた値に変更される携帯電子機器の電源システム制御方法。
【請求項１７】
請求項１３乃至請求項１６のいずれかに記載の携帯電子機器の電源システム制御方法であって、前記出力電圧と比較され前記負荷デバイスへの電力供給を許可する起動許可基準値ＬＨと、前記自動停止が判定される前記基準値ＨＬとが異なる電圧値でありＬＨ＞ＨＬである携帯電子機器の電源システム制御方法。
【請求項１８】
請求項１３乃至請求項１７のいずれかに記載の携帯電子機器の電源システム制御方法であって、前記所定の停止シーケンスが、前記出力電圧が前記基準値より高い状態で前記負荷デバイスを停止させる通常の停止シーケンスと異なるシーケンスである携帯電子機器の電源システム制御方法。
【請求項１９】
請求項１８に記載の携帯電子機器の電源システム制御方法であって、前記所定の停止シーケンスが前記通常の停止シーケンスより低消費電力で停止させるシーケンスである携帯電子機器の電源システム制御方法。
【請求項２０】
請求項１３乃至請求項１９のいずれかに記載の携帯電子機器の電源システム制御方法であって、前記回数が記憶されていないときに前記負荷デバイスを起動させる起動シーケンスと、前記回数が記憶されているときに前記負荷デバイスを起動させる起動シーケンスとが異なるシーケンスである携帯電子機器の電源システム制御方法。
【請求項２１】
請求項２０に記載の携帯電子機器の電源システム制御方法であって、前記回数が記憶されているときの前記起動シーケンスは、前記負荷デバイスのうち機械的可動部の形状変化を最後に行うシーケンスである携帯電子機器の電源システム制御方法。
【請求項２２】
負荷デバイスと、該負荷デバイスの電源となる電池の出力電圧を測定する測定手段と、該測定手段が検出した前記電池の出力電圧を起動許可基準値と比較し該出力電圧が該起動許可基準値以上になったとき前記負荷デバイスの起動を所定の起動シーケンスに従って行う制御手段とを備える携帯電子機器の電源システム制御方法であって、前記出力電圧が停止判定基準値より下回ることで前記負荷デバイスを自動停止させた回数を記憶し、記憶された前記回数に応じた値に前記起動許可基準値を変更する携帯電子機器の電源システム制御方法。
【請求項２３】
請求項２２に記載の携帯電子機器の電源システム制御方法であって、前記回数が記憶されていないときに前記負荷デバイスを起動させる起動シーケンスと、前記回数が記憶されているときに前記負荷デバイスを起動させる起動シーケンスとが異なるシーケンスである携帯電子機器の電源システム制御方法。
【請求項２４】
請求項２３に記載の携帯電子機器の電源システム制御方法であって、前記回数が記憶されているときの前記起動シーケンスは、前記負荷デバイスのうち機械的可動部の形状変化を最後に行うシーケンスである携帯電子機器の電源システム制御方法。
【発明の詳細な説明】
【技術分野】
【０００１】
本発明は、電池駆動される携帯電子機器に係り、特に、その電源システム制御方法に関する。
【背景技術】
【０００２】
デジタルスチルカメラ，デジタルビデオカメラ，カメラ付携帯電話機，ノートパソコン，ＰＤＡ（パーソナルデジタルアシスタント）等の携帯電子機器は、ＡＣアダプタを用いて使用される場合を除き、主として電池で駆動される。携帯電子機器を電池駆動している最中に、駆動に必要な最低限の電圧より電池電圧が低下してしまうと、携帯電子機器は異常停止してしまう。例えば、デジタルスチルカメラの場合、沈胴レンズのレンズ鏡筒が前方に繰り出された状態で停止してしまう。
【０００３】
そこで、携帯電子機器では、電池電圧を計測し、駆動に必要な最低限の電圧より所要電圧だけ高い所定基準値を計測したとき、携帯電子機器の停止シーケンスを開始させている。つまり、上記の例では、レンズ鏡筒がカメラ本体内に沈胴されてから、携帯電子機器が停止状態になる様にしている。
【０００４】
携帯電子機器が停止したとき、電池の出力電流が減少し、内部インピーダンスによる電圧降下の減少，温度低下等により、充電を行わない状態でも暫く時間が経過すると電池電圧は回復し、再び携帯電子機器を駆動することが可能となる。
【０００５】
しかしながら、電池電圧が回復しても電池残量が回復する訳ではないため、電池電圧が回復したときの携帯電子機器の再駆動によって電池電圧は急激に低下し、上記の所定基準値を計測した段階で携帯電子機器を止める動作を開始しても間に合わずに、異常停止してしまう虞がある。
【０００６】
この異常停止を回避するには、電池電圧の計測誤差も考慮し且つ上記の所定基準値を高めに設定することで回避可能である。しかしその反面、電池の満充電状態から所定基準値まで降下するまでの期間が短くなり、デジタルスチルカメラでいえば撮影枚数が少なくなってしまう。
【０００７】
この様な問題は、特許文献１記載の様に、電池電圧を高精度に計測できる装置を搭載すればある程度回避可能であるが、携帯電子機器とは別に、電圧計測用のＣＰＵやサーミスタ等の部品が必要となり、携帯電子機器の製造コストを上昇させてしまうという別の問題が生じる。
【０００８】
特許文献２に記載の従来技術は、機器の異常を自己診断するに際し、異常の程度に応じて自己診断する周期を変更する技術を開示する。しかし、異常が起きないように停止する技術を開示するものではなく、携帯電子機器の電池電圧低下による異常停止を回避するものではない。
【先行技術文献】
【特許文献】
【０００９】
【特許文献１】特開平１０―６９９２５号公報
【特許文献２】特開平１０―１０３６７０号公報
【発明の概要】
【発明が解決しようとする課題】
【００１０】
本発明の目的は、高価な電池電圧計測装置を使用することなく、安価な装置構成で携帯電子機器の使用時間を長くすることができ、機器の異常停止を回避できる携帯電子機器及びその電源システム制御方法を提供することにある。
【課題を解決するための手段】
【００１１】
本発明の携帯電子機器は、負荷デバイスと、該負荷デバイスの電源となる電池の出力電圧を測定する測定手段と、該測定手段が検出した前記電池の出力電圧を基準値と比較し該出力電圧が該基準値より下回ったとき前記負荷デバイスの駆動を所定の停止シーケンスに従って自動停止させる制御手段と、前記出力電圧が前記基準値より下回ることで前記自動停止させた回数を記憶する記憶手段と、該記憶手段に記憶されている前記回数に応じた値に前記基準値を変更する基準値変更手段とを備えることを特徴とする。
【００１２】
本発明の携帯電子機器の電源システム制御方法は、負荷デバイスと、該負荷デバイスの電源となる電池の出力電圧を測定する測定手段と、該測定手段が検出した前記電池の出力電圧を基準値と比較し該出力電圧が該基準値より下回ったとき前記負荷デバイスの駆動を所定の停止シーケンスに従って自動停止させる制御手段とを備える携帯電子機器の電源システム制御方法であって、前記出力電圧が前記基準値より下回ることで前記自動停止させた回数を記憶し、前記基準値を前記回数に応じた値に変更することを特徴とする。
【発明の効果】
【００１３】
本発明によれば、携帯電子機器の停止判断を行う所定基準値を極力低い電圧に抑えて携帯電子機器の使用時間を長くすることができ、しかも、携帯電子機器の異常停止を回避して正常に停止させることが可能となる。
【図面の簡単な説明】
【００１４】
【図１】本発明の一実施形態に係る携帯電子機器の要部構成図である。
【図２】図１に示す携帯電子機器における電源システム制御方法の処理手順を示すフローチャートである。
【図３】本発明の別実施形態に係る携帯電子機器の要部構成図である。
【図４】図３に示す携帯電子機器における電源システム制御方法の処理手順を示すフローチャートである。
【図５】本発明の更に別実施形態に係る電源システム制御方法の処理手順を示すフローチャートである。
【発明を実施するための形態】
【００１５】
以下、本発明の一実施形態について、図面を参照して説明する。
【００１６】
図１は、本発明の一実施形態に係る携帯電子機器の要部構成図である。この携帯電子機器１は、入力電源２と、入力電源２の出力電圧から機器動作に必要となる電圧を生成し出力する電源回路３と、電源回路３の出力電圧を受けて動作する携帯電子機器の負荷デバイス４とを備える。
【００１７】
入力電源２は、ＡＣアダプタによる入力電源の場合もあるが、主として電池である。負荷デバイス４は、例えば携帯電子機器１がデジタルスチルカメラの場合には、撮影レンズをカメラ前方に繰り出したり沈胴させたりするモータや、レンズバリア駆動用モータ、撮像素子及びその駆動回路、信号処理回路等である。
【００１８】
この携帯電子機器１は、更に、起動指令部６と、記憶部７と、起動／停止シーケンス制御部８と、入力電圧測定部９と、記憶リセット部１０とを備える。
【００１９】
起動指令部６は、携帯電子機器１のパワースイッチ回路であり、ユーザがパワースイッチを投入することで、起動指令信号が起動／停止シーケンス制御部８に出力される。尚、起動指令部６がＣＰＵで構成される携帯電子機器も存在し、この場合にはＣＰＵから起動指令信号が出力される。
【００２０】
記憶部７は、ＣＰＵやリアルタイムクロック回路等に内蔵されたレジスタを利用でき、後述する機器の自動停止回数を緊急停止ログとして記憶する。
【００２１】
起動／停止シーケンス制御部８は、起動指令信号を起動指令部６から受信したときに、入力電圧測定部９の測定結果と、記憶部７の機器自動停止回数とを参照して、起動／停止シーケンスを実行して、携帯電子機器１の起動／停止を制御する。
【００２２】
入力電圧測定部９は、携帯電子機器１の起動直後から電源回路３の出力電圧を受けて動作を開始し、入力電源２の出力電圧つまり電池電圧を測定し、測定結果を起動／停止シーケンス制御部８に出力する。
【００２３】
また、入力電圧測定部９は、電池電圧の測定結果により、携帯電子機器を緊急停止すると判断した所定基準値を下回ったとき、携帯電子機器が緊急停止する前に、記憶部７内の機器自動停止回数を＋１だけカウントアップする。この入力電圧測定部９は、ＣＰＵで構成される場合もあり、また、ＣＰＵを持たずにアナログ回路で構成される場合もある。
【００２４】
記憶リセット部１０は、携帯電子機器１の起動直後から電源回路３の出力電圧を受けて動作を開始し、記憶部７内の機器自動停止回数カウント値をリセットする回路である。例えば新しい電池に交換されるなどして電池電圧が所定値以上になったとき、これを電源回路３からの出力電圧で知り、リセットを行う。電池電圧を入力電圧測定部９から取り込んだりして、リセットを行う構成でも良い。
【００２５】
起動指令部６，記憶部７，起動／停止シーケンス制御部８は、入力電源２の出力電圧を直接受けて、動作している。負荷デバイス４を動作させることができないほど入力電源２が消耗している状態でも、入力電源２の出力電圧は「０」Ｖではないため、携帯電子機器１が停止状態にあるとユーザが認識している状態でも、起動指令部６，記憶部７，起動／停止シーケンス制御部８は、動作している。尚、入力電圧測定部９や記憶リセット部１０も、入力電源２の出力電圧を直接受ける構成とすることも可能である。
【００２６】
図２は、図１に示す携帯電子機器１の電源システム制御方法の処理手順を示すフローチャートである。ユーザがパワースイッチを投入して起動指令信号が起動／停止シーケンス制御部８に出力され、電源回路３が負荷デバイス４に所要電圧を供給開始すると、機器が起動される（ステップＳ１）。
【００２７】
これにより、入力電圧測定部９は、入力電圧Ｖinすなわち電池電圧の測定を開始し（ステップＳ２）、測定電圧値Ｖinが基準値以上であるか否かを判定する（ステップＳ３）。
【００２８】
ここで基準値とは、機器の起動開始を許可する電圧、機器の起動継続を許可する電圧であり、この基準値を下回ったとき、ユーザがパワースイッチをオフにしなくても自動的に機器を停止させると判断する電圧である。
【００２９】
このステップＳ３の判定の結果、電池電圧が基準値以上であれば、負荷デバイス４の動作に支障がないため、次にステップＳ４に進み、パワースイッチがオフになったか否か即ち携帯電子機器にユーザからの停止指令が入力されたか否かを判定する。
【００３０】
停止指令が入力されていない場合にはステップＳ４からステップＳ３に戻り、停止指令が入力されている場合には、ステップＳ４からステップＳ５に進み、携帯電子機器１の動作を停止させる。即ち、電源回路３は動作を停止する。
【００３１】
ステップＳ３の判定の結果、電池電圧の測定値が基準値以上でないと判断された場合には、ステップＳ３からステップＳ６に進み、携帯電子機器を自動で停止させた遷移回数のカウント値（図１の記憶部７内のカウント値）を＋１だけ事前にインクリメントする。
【００３２】
そして次のステップＳ７で、ステップＳ３の判定に用いる基準値をカウント値に対応する基準値に変更した後、ステップＳ５に進んで携帯電子機器１を停止シーケンスに従って正常に停止させる。例えば、デジタルスチルカメラであれば、繰り出されているレンズ鏡筒をカメラ本体内に収納しレンズバリアで覆った後に、パワーオフとする。
【００３３】
この様に、本実施形態では、自動停止への遷移回数に応じてステップＳ３の判定基準となる電池電圧の基準値を変更する。入力電源２が消耗して最初に携帯電子機器１を自動的に停止させるときの基準値を第１基準値、携帯電子機器１の停止中に電池電圧が回復して再起動させたとき自動停止させるときの基準値を第２基準値、同様に３回目に自動停止させるときの基準値を第３基準値、…第４基準値、…としたとき、
第１基準値＜第２基準値＜第３基準値＜第４基準値＜……
とする。
【００３４】
前述した様に、入力電源２が消耗した後に電池電圧が回復しても、実際の電池残量は回復していない。このため、電池電圧が基準値を下回った後に負荷デバイス４の動作が全く不可能となる電圧に達するまでの電圧降下は、初回に下回ったときより２回目に下回ったときの方が急激となり、３回目は更に急激となる。このため、正常に機器停止を行うには、電池電圧に余裕が必要となり、高めに基準値を設定することになる。
【００３５】
本実施形態では、２回目，３回目，…と順に停止判断を行う基準値を高くしているため、常に、機器の自動停止を正常に行うことが可能となる。また、これにより、第１基準値を従来より低く設定できるため、入力電源２の満充電状態から初回に自動停止されるまでの携帯電子機器の使用時間を延ばすことができ、デジタルスチルカメラの場合には撮影枚数を増やすことが可能となる。
【００３６】
また、本実施形態では、電池残量を正確に計測する部品等が不要のため、コストアップを回避することも可能となる。
【００３７】
尚、上述した実施形態では、電池電圧が基準値を下回ったとき機器を自動的に停止させたが、電池電圧が基準値を所定時間継続して下回ったときに自動的に停止させる構成としても良い。また、機器の起動開始を許可する電圧と、機器の起動継続を許可する電圧を同じ電圧としてこれを基準値としたが、これら電圧を異なる電圧値としても良い。
【００３８】
図３は、本発明の別実施形態に係る携帯電子機器の要部構成図である。図１の携帯電子機器１と比較して、本実施形態の携帯電子機器１５は、入力電源２の出力電圧を直接受けて動作する緊急停止制御部１６が追加された点と、入力電圧測定部９に電池電圧が直接供給されて、常時（パワースイッチオフ状態でも）、電池電圧を測定可能な状態になっている点が異なり、その他の構成は図１と同じである。
【００３９】
本実施形態では、機器の起動を許可する電圧を基準値ＬＨとし、電池電圧がＬＨと異なる基準値ＨＬ以下になった時に機器を緊急停止させる構成としている。例えば、ＬＨ＞ＨＬとし、緊急停止制御部１６は、電池電圧がＨＬ以下となったことを入力電圧測定部９からの出力で知ったとき記憶部７の緊急停止カウント値を＋１だけインクリメントしてその旨を起動／停止シーケンス制御部８に通知し、起動／停止シーケンス制御部８は、通常の停止シーケンスと異なる緊急停止シーケンスで携帯電子機器１５を停止させる。
【００４０】
緊急停止シーケンスとは、本実施形態では、機器を通常の停止シーケンスよりも短時間で、機器を停止させるシーケンスとする。通常の停止シーケンスよりも短時間で機器を停止させるように、例えば入力電圧が基準値ＨＬ以下となったことを検出すると、即座に各負荷デバイスを制御するＣＰＵの動作を停止し、その後、電源回路の停止制御を行う。これにより、ＣＰＵや負荷デバイスが正常な動作を行うことが不可能なほど入力電圧が低下した状態において、動作を継続することによる誤動作、故障を防止することが可能となる。
【００４１】
図４は、図３に示す携帯電子機器の電源システム制御方法の処理手順を示すフローチャートである。先ず、起動／停止シーケンス制御部８は、緊急停止のログ（記憶部７のカウント値）があるか否かを判定し（ステップＳ１１）、緊急停止のログが無い場合には、次のステップＳ１２で入力電圧測定部９が電池電圧の測定を開始する。
【００４２】
緊急停止のログがある場合には、ステップＳ１１からステップＳ１３に進んで基準値ＬＨを変更したあと、ステップＳ１２に進む。この基準値ＬＨの変更は、例えば図２のステップＳ７で行った基準値の変更と同様に、緊急停止回数が多くなるほど基準値ＬＨを高い値とする。
【００４３】
ステップＳ１２で入力電圧測定部９が電池電圧Ｖinを測定した後は、次のステップＳ１４で、測定値Ｖinが基準値ＬＨ以上であるか否かを判定する。基準値ＬＨ以上でない場合には、次のステップＳ１５には進まず、ステップＳ１４を繰り返し実行する。即ち、機器の動作開始は行わない。
【００４４】
電池電圧Ｖinが基準値ＬＨ以上の場合には、ステップＳ１５に進み、起動信号のマスクを解除する。図３の起動指令部（例えばパワースイッチ）６から起動信号が発信されても、起動／停止シーケンス制御部８はこの起動信号をマスクしており、条件成立を待って、マスクを解除する。この例では、電池電圧Ｖinが基準値ＬＨ以上となったとき、マスク解除を行う。
【００４５】
そして、次のステップＳ１６で、起動指令（起動信号）が発信されるのを待機し、起動指令が発信されたとき、ステップＳ１７に進み、機器の起動を所定の起動シーケンスに従って行う。
【００４６】
次のステップＳ１８では、常時または間欠的に計測されている電池電圧（入力電圧）Ｖinが基準値ＨＬ以上であるか否かを判定する。機器が起動され動作が継続していると、電池残量の消費が進み、電池電圧すなわち入力電圧測定部９の入力電圧Ｖinが低下する。この電池電圧Ｖinが基準値ＨＬ以上の場合には電池残量がまだ十分残っていると判断でき、ステップＳ１９に進んで停止指令（例えばパワースイッチオフ）が発信されたか否かを判定する。
【００４７】
停止指令が発信されていない場合にはステップＳ１９を繰り返し実行し、停止指令が発信されるまで機器動作を継続させる。停止指令が発信された場合には、ステップＳ１９からステップＳ２０に進み、機器を通常の停止シーケンスに従って停止させ、ステップＳ１１に戻る。
【００４８】
ステップＳ１８の判定の結果、電池電圧Ｖinが基準値ＨＬより低下していることが入力電圧測定部９によって検出された場合、ステップＳ２１に進んで、緊急停止状態への遷移回数カウント値を＋１だけインクリメントした後、機器を、上記の緊急停止シーケンスに従って停止させ（ステップＳ２２）、ステップＳ１１に戻る。
【００４９】
本実施形態では、上記の様に、電池電圧Ｖinが基準値ＨＬより低下したとき携帯電子機器を緊急停止させるため、機器を正常に停止させることができる。また、本実施形態ではＬＨ＞ＨＬとしているが、もしＬＨ＜ＨＬとすると、機器の緊急停止により電池電圧Ｖinが上昇して再起動が許可（Ｖin＞ＬＨ）され、再起動されたとき直ちに緊急停止することになる。つまり、無駄に、起動と緊急停止を繰り返すことになる。これを避けるために、本実施形態では、ＬＨ＞ＨＬとしている。
【００５０】
また、上記実施形態のステップＳ１８の基準値ＨＬを、図２の実施形態のステップＳ７と同様に、停止回数に応じて変更する構成としても良く、停止回数が多いほど高い値に変更するのが良い。
【００５１】
図５は、本発明の更に別実施形態の電源システム制御方法の処理手順を示すフローチャートである。本実施形態は、図４のフローチャートと比較して基本的な手順は同じであり、図４のステップＳ１２に替えてステップＳ３１を実行し、ステップＳ１７に替えてステップＳ３２を実行する点だけが異なる。
【００５２】
ステップＳ３１では、起動シーケンスの変更を行い、ステップＳ３２では、ステップＳ３１で変更された起動シーケンスに従って機器の起動を行う。
【００５３】
通常の起動シーケンスでは、例えば、沈胴レンズのカメラ本体内からの繰り出しを高速に行うのに対し、ステップＳ３１では、これを低速に行う様な起動シーケンスとし、通常の起動シーケンスに比較して低消費電力で機器の起動ができるようにする。
【００５４】
あるいは、制御シーケンスや起動時の各種設定パラメータを変更し、電源回路，ＣＰＵの起動の後に、各機能デバイスの動作順序や動作条件を変更する起動シーケンスとする。例えば、沈胴レンズを有するデジタルスチルカメラにおいて、液晶表示部の点灯，沈胴レンズの繰り出しを、起動シーケンスの最後に持ってくることで、起動シーケンス中に電池電圧が急速に低下して沈胴レンズが繰り出された状態で停止してしまう可能性を小さくする。
【００５５】
この様な起動シーケンスの変更や、起動時の各種設定パラメータの変更等は、電池電圧が所定値以上になるという様なリセット条件が成立して記憶部７の停止回数カウント値がリセットされたとき、一緒にリセットされる。
【００５６】
以上述べた様に、上述した実施形態の携帯電子機器及びその電源システム制御方法は、負荷デバイスと、該負荷デバイスの電源となる電池の出力電圧を測定する測定手段と、該測定手段が検出した前記電池の出力電圧を基準値と比較し該出力電圧が該基準値より下回ったとき前記負荷デバイスの駆動を所定の停止シーケンスに従って自動停止させる制御手段とを備える携帯電子機器において、前記出力電圧が前記基準値より下回ることで前記自動停止させた回数を記憶し、前記基準値を前記回数に応じた値に変更することを特徴とする。
【００５７】
また、実施形態の携帯電子機器及びその電源システム制御方法は、前記測定手段が測定した前記出力電圧が所定値以上になったとき前記記憶された前記回数の値がリセットされることを特徴とする。
【００５８】
また、実施形態の携帯電子機器及びその電源システム制御方法は、前記回数が多くなるほど前記基準値を高く変更することを特徴とする。
【００５９】
また、実施形態の携帯電子機器及びその電源システム制御方法は、前記出力電圧と比較され前記負荷デバイスへの電力供給が許可される起動許可基準値ＬＨが、前記記憶されている前記回数に応じた値に変更されることを特徴とする。
【００６０】
また、実施形態の携帯電子機器及びその電源システム制御方法は、前記出力電圧と比較され前記負荷デバイスへの電力供給を許可する起動許可基準値ＬＨと、前記自動停止が判定される前記基準値ＨＬとが異なる電圧値でありＬＨ＞ＨＬであることを特徴とする。
【００６１】
また、実施形態の携帯電子機器及びその電源システム制御方法は、前記所定の停止シーケンスが、前記出力電圧が前記基準値より高い状態で前記負荷デバイスを停止させる通常の停止シーケンスと異なるシーケンスであることを特徴とする。
【００６２】
また、実施形態の携帯電子機器及びその電源システム制御方法は、前記所定の停止シーケンスが前記通常の停止シーケンスより低消費電力で停止させるシーケンスであることを特徴とする。
【００６３】
また、実施形態の携帯電子機器及びその電源システム制御方法は、前記回数が記憶されていないときに前記負荷デバイスを起動させる起動シーケンスと、前記回数が記憶されているときに前記負荷デバイスを起動させる起動シーケンスとが異なるシーケンスであることを特徴とする。
【００６４】
また、実施形態の携帯電子機器及びその電源システム制御方法は、前記回数が記憶されているときの前記起動シーケンスは、前記負荷デバイスのうち機械的可動部の形状変化を最後に行うシーケンスであることを特徴とする。
【００６５】
また、実施形態の携帯電子機器及びその電源システム制御方法は、負荷デバイスと、該負荷デバイスの電源となる電池の出力電圧を測定する測定手段と、該測定手段が検出した前記電池の出力電圧を起動許可基準値と比較し該出力電圧が該起動許可基準値以上になったとき前記負荷デバイスの起動を所定の起動シーケンスに従って行う制御手段とを備える携帯電子機器において、前記出力電圧が停止判定基準値より下回ることで前記負荷デバイスを自動停止させた回数を記憶し、記憶された前記回数に応じた値に前記起動許可基準値を変更することを特徴とする。
【００６６】
また、実施形態の携帯電子機器及びその電源システム制御方法は、前記回数が記憶されていないときに前記負荷デバイスを起動させる起動シーケンスと、前記回数が記憶されているときに前記負荷デバイスを起動させる起動シーケンスとが異なるシーケンスであることを特徴とする。
【００６７】
また、実施形態の携帯電子機器及びその電源システム制御方法は、前記回数が記憶されているときの前記起動シーケンスは、前記負荷デバイスのうち機械的可動部の形状変化を最後に行うシーケンスであることを特徴とする。
【００６８】
これにより、携帯電子機器の停止判断を行う所定基準値を極力低い電圧に抑えて携帯電子機器の使用時間を長くすることができ、しかも、携帯電子機器の異常停止を回避して正常に停止させることが可能となる。
【産業上の利用可能性】
【００６９】
本発明の携帯電子機器及びその電源システム制御方法は、携帯電子機器の停止判断を行う所定基準値を極力低い電圧に抑えて携帯電子機器の使用時間を長くすることができ、しかも、携帯電子機器の異常停止を回避して正常に停止させることが可能になるため、携帯パソコンやデジタルカメラ等に適用すると有用である。特に、デジタルスチルカメラやカメラ付携帯電話機等、沈胴レンズの様な可動部を有する携帯電子機器では、可動部が異常状態で停止してしまう事態を回避できるので、特に有用である。
【符号の説明】
【００７０】
１，１５  携帯電子機器
２  入力電源
３  電源回路
４  負荷デバイス
６  起動指令部
７  記憶部
８  起動／停止シーケンス制御部
９  入力電圧測定部
１０  記憶リセット部
１６  緊急停止制御部
【図１】
2010200532.tif 000003
【図２】
2010200532.tif 000004
【図３】
2010200532.tif 000005
【図４】
2010200532.tif 000006
【図５】
2010200532.tif 000007